(57)【特許請求の範囲】
【請求項１】
音声信号に対する映像信号の遅れを解消するために音声信号に対して遅延処理を施す時間遅延処理部に対し、オペレータが把握した前記音声信号と映像信号との遅延時間をエンコーダを使用して入力する遅延時間入力装置において、
回動並びに押圧自在とした操作部を有するエンコーダと、
前記操作部の回動量を検出して、回動量１ステップについて割り当てられた所定の遅延時間に基づいて、操作部の回動量に伴う遅延時間を算出する回動式時間設定部と、
前記操作部の押圧動作によって出力される開始信号と終了信号とを入力する受信部と、前記受信部からの開始信号と終了信号とに従って内部クロックのカウント開始と終了を行う内部クロックカウンタ部と、
前記内部クロックカウンタ部によるカウント値に基づいて前記開始信号と終了信号間の経過時間を算出する経過時間算出部と、
前記回動式時間設定部によって算出された遅延時間と、前記経過時間算出部によって算出された経過時間とを加算して前記時間遅延処理部に出力する加算部とを備えていることを特徴とする遅延時間入力装置。
【請求項２】
前記操作部は、１回目の押圧により開始信号を発信し、２回目の押圧により終了信号を発信することを特徴とする請求項１に記載の遅延時間入力装置。
【請求項３】
前記操作部は、押圧することにより開始信号を発信し、継続して押圧された操作部を解放することにより終了信号を発信することを特徴とする請求項１に記載の遅延時間入力装置。
【請求項４】
前記操作部は、エンコーダを回動させるつまみと、開始信号及び終了信号を出力するボタンとが別体に形成されていることを特徴とする請求項１、請求項２または請求項３に記載の遅延時間入力装置。
【請求項５】
音声信号に対する映像信号の遅れを解消するために音声信号に対して遅延処理を施す時間遅延処理部に対し、オペレータが把握した前記音声信号と映像信号との遅延時間をエンコーダを使用して入力する遅延時間入力方法において、
操作部を回動並びに押圧自在としたエンコーダを備え、前記操作部の回動量１ステップについて所定の遅延時間を割り当てると共に、前記操作部の押圧動作に対して遅延時間の設定開始と終了とを割り当て、前記操作部の押圧動作によって設定した遅延時間と前記操作部の回動量に応じた遅延時間とを加算し、この加算した遅延時間を前記時間遅延処理部に対して出力することを特徴とする遅延時間入力方法。
【発明の詳細な説明】
【技術分野】
【０００１】
本発明は、放送等に用いられる遅延時間入力装置及び遅延時間入力方法に関し、特に音量調整（ミキシング）装置の時間遅延処理機能に関するものである。
【背景技術】
【０００２】
テレビジョン放送等の映像を伴う音声収録や編集作業においては、種々の要因により音声に対する映像の時間遅延が発生する。この映像と音声とのずれに関して整合性を取るために音声に加える遅延時間は、操作者（オペレータ）がその映像と音声のずれにより生じる時間間隔を判断し、音声調整装置の時間遅延処理部に設定する必要がある。特に、生中継による放送においては、瞬時にその時間間隔を特定し、遅延時間を設定することが求められる。
【０００３】
従来、このような遅延時間の設定は、主に、オペレータが自らキーボード等を利用して直接数値を入力する方法や、あるいは１ステップ刻みでエンコーダを回動させることによりその回動量（回動角度）に応じて数値を増減させる方法などがとられてきた。
【０００４】
また、エンコーダの回動速度に応じて１ステップ当りの時間間隔を数ミリ秒から数百ミリ秒の間で変化させることで、エンコーダをゆっくり回動させた場合には微少な時間間隔の設定を行い、素速く回動させた場合には同じ回動角度でも遅延時間を大きく設定するようにした技術も知られていた。
【０００５】
さらに、特許文献１に記載されているように、映像音声遅延調整装置自体に映像信号と音声信号の相対遅延差を測定する手段を別途内蔵し、この手段によって、映像と音声の間に生じる時間間隔を測定することで、人手を煩わせることなく、自動的に遅延時間を設定する技術もあった。
【特許文献１】特開２００５−１０１７８２号公報
【発明の開示】
【発明が解決しようとする課題】
【０００６】
前記のような各種の従来技術の中で、音声信号と映像信号とのずれに基づいて把握した遅延時間をオペレータが自らキーボード等を利用して直接数値を入力する方法は、遅延時間を数値として正確に特定するには、オペレータ自身の能力によるところが大きい。すなわち、数値入力の経験が豊富な者が経験の浅い者より正確に遅延時間を特定することができることは当然であるが、この方法は、人的な感覚により遅延時間を特定するものであることには変わりなく、経験が豊富なオペレータであっても、人間の感覚によっては判断が困難な数ミリ秒単位における誤差が生じることが多々あり、正確さに欠けるものであった。
【０００７】
さらに、このような数値入力による方法は、いったん入力した遅延時間をさらに微調整する場合も改めて数値入力が必要となり、その都度、オペレータが遅延時間を自ら判断し、キーボード等に入力するといった、２段階の作業を行なうため、オペレータに多大な負担を負わせていた。
【０００８】
一方、エンコーダの回動を利用し、１ステップ刻みで数値を増減させる方法は、エンコーダの回動角度を調整するだけの作業であり、オペレータが把握した遅延時間を数値に変更するような作業も不要で、遅延時間の入力作業も単純な回動動作で済むために、前記数値入力に比較すると、作業自体は単純化される。
【０００９】
しかしながら、特定した映像の遅延時間を音声に加える処理を行なう時間遅延処理部では、音声出力を行なう際に数ミリ秒単位で遅延時間が検出されていることが求められるのに対し、音声に対する映像の遅延時間が数秒に及ぶ場合も多い。このような場合、１ステップあたりの遅延時間が数ミリ秒に固定されていると、数秒単位の長い遅延時間を設定することが困難で、最終的に正確な遅延時間を出力するまでに時間を要する。
【００１０】
また、エンコーダの回動速度に応じて１ステップ当りの時間間隔を数ミリ秒から数百ミリ秒の間で変化させる方法では、調節つまみの回動角度が同じであっても、その回動速度如何によって数ミリ秒から数百ミリ秒の間での調整が行えるため、前記のように１ステップあたりの遅延時間が固定されている方法よりは、数秒単位の長い遅延時間の設定に対応できる利点がある。
【００１１】
しかしながらこの方法によると、オペレータはどの程度の回動速度でどの程度の値が変化するのか予測がしづらいため、より大きな値の変化を求める場合には、勢いよく回動させてしまい、期待する数値を超えてしまうなど、オペレータによる調整が困難となっていた。また、このような方法を実現するための構成として、回動速度を検知して同じ回動角度に割り当てる１ステップあたりの遅延時間を変更する構成も別途必要であった。
【００１２】
さらに、特許文献１に記載されているような構成の場合も、相対遅延差測定手段というような音声信号に対する映像信号の遅延時間を自動的に検出する手段が別途必要となるため、装置の構成が複雑化する欠点があった。
【００１３】
本発明は、前記のような各従来技術の問題点を解決するために提案されたものであり、その目的は、音声に対する映像の遅延時間を簡易な方法により迅速かつ正確に設定することが可能な遅延時間入力装置及び遅延時間入力方法を提供することにある。
【課題を解決するための手段】
【００１４】
前記の目的を達成するために、請求項１に記載の発明は、音声信号に対する映像信号の遅れを解消するために音声信号に対して遅延処理を施す時間遅延処理部に対し、オペレータが把握した前記音声信号と映像信号との遅延時間をエンコーダを使用して入力する遅延時間入力装置において、回動並びに押圧自在とした操作部を有するエンコーダと、前記操作部の回動量を検出して、回動量１ステップについて割り当てられた所定の遅延時間に基づいて、操作部の回動量に伴う遅延時間を算出する回動式時間設定部と、前記操作部の押圧動作によって出力される開始信号と終了信号とを入力する受信部と、前記受信部からの開始信号と終了信号とに従って内部クロックのカウント開始と終了を行う内部クロックカウンタ部と、前記内部クロックカウンタ部によるカウント値に基づいて前記開始信号と終了信号間の経過時間を算出する経過時間算出部と、前記回動式時間設定部によって算出された遅延時間と、前記経過時間算出部によって算出された経過時間とを加算して前記時間遅延処理部に出力する加算部とを備えていることを特徴とする。
【００１５】
請求項２の発明は、前記請求項１に記載の発明において、前記操作部は、１回目の押圧により開始信号を発信し、２回目の押圧により終了信号を発信することを特徴とする。
【００１６】
請求項３の発明は、前記請求項１に記載の発明において、前記操作部は、押圧することにより開始信号を発信し、継続して押圧された操作部を解放することにより終了信号を発信することを特徴とする。
【００１７】
請求項４の発明は、前記請求項１、請求項２または請求項３に記載の発明において、前記操作部は、エンコーダを回動させるつまみと、開始信号及び終了信号を出力するボタンとが別体に形成されていることを特徴とする。
【００１８】
請求項５の発明は、前記請求項１の発明を方法の観点から把握したものであって、音声信号に対する映像信号の遅れを解消するために音声信号に対して遅延処理を施す時間遅延処理部に対し、オペレータが把握した前記音声信号と映像信号との遅延時間をエンコーダを使用して入力する遅延時間入力方法において、操作部を回動並びに押圧自在としたエンコーダを備え、前記操作部の回動量１ステップについて所定の遅延時間を割り当てると共に、前記操作部の押圧動作に対して遅延時間の設定開始と終了とを割り当て、前記操作部の押圧動作によって設定した遅延時間と前記操作部の回動量に応じた遅延時間とを加算し、この加算した遅延時間を前記時間遅延処理部に対して出力することを特徴とする。
【発明の効果】
【００１９】
以上のように、本発明によれば、数秒単位の遅延時間に関してはオペレータによる操作部の押圧（あるいは解放）動作によって大まかに特定することができ、かつ、数ミリ秒単位の細かい遅延時間に関しては操作部の１ステップごとの回動をもって微調整が可能である。その結果、比較的長い遅延時間を設定する場合でも、簡単な操作でしかも正確に遅延時間を入力することができる。特に、操作部の押圧動作による遅延時間の入力は、音声信号と映像信号の頭出し部分に合わせて、オペレータが操作部を押圧（あるいは解放）することによるので、数値を入力したり、操作部を回動して入力する場合に比較して、操作タイミングを取りやすく、比較的長い遅延時間の場合でも入力精度が高く熟練を有しないという利点もある。
【発明を実施するための最良の形態】
【００２０】
次に、本発明を実施するための最良の形態（以下、実施形態とする）を、図１乃至図４を参照して説明する。
【００２１】
［１．実施形態の構成］
図１は、本実施形態における遅延時間入力装置の全体構成を示すものであり、この遅延時間入力装置は、回動並びに押圧式の操作部１１を有するロータリーエンコーダ１０と、この操作部１１の押圧操作に従って経過時間を算出する押圧式時間設定部２０と、同じく操作部１１の回動操作に従って遅延時間を算出する回動式時間設定部３０と、前記押圧式時間設定部２０及び回動式時間設定部によって算出された経過時間と遅延時間とを受けて音声信号に対して所定の時間遅延処理を施す時間遅延処理部４０とから構成されている。
【００２２】
前記操作部１１は、例えば略円錐台形のつまみから成り、このつまみがエンコーダ１０の軸を中心として左右（正方向と逆方向）に回動可能に、しかも、エンコーダ１０の軸方向に沿って出没自在に構成されている。この操作部１１を構成するつまみの軸部外周には、操作部１１をその軸方向に押し込んだ場合に、自動的に元の突出位置に復帰するようにバネ１２が設けられている。
【００２３】
前記押圧式時間設定部２０は、前記操作部１１の第１回目の押し込み動作によって発生す開始信号と、第２回目の押し込み動作によって発生する終了信号が入力される受信部２１と、内部クロックの発生部２２とが設けられている。前記受信部２１及びクロック発生部２２の出力側には内部クロックカウンタ部２３が設けられ、このカウンタ部２３が前記受信部２１からの開始信号により内部クロックのカウントを開始し、終了信号によりカウントを終了する。内部クロックカウンタ部２３の出力側には、経過時間算出部２４が設けられ、この経過時間算出部２４が前記カウンタ部２３からのカウント値に基づいて、前記操作部１１の第１回目の押し込み動作から第２回目の押し込み動作までの経過時間を算出する。
【００２４】
前記回動式時間設定部３０は、前記操作部１１の回動量、すなわち回動ステップ数を検出するステップ数検出部３１と、このステップ数検出部３１によって検出されたステップ数と予め操作部の１ステップあたりの回動量に対応づけた遅延時間とに基づいて、操作部１１の回動量に対応した遅延時間を算出する遅延時間算出部３２を備えている。
【００２５】
［２．実施形態の作用］
本実施形態における作用を以下に説明する。
オペレータが確認した音声信号に対する映像信号の遅延時間が数秒に達するような長いものである場合には、所定の音声信号を確認したタイミングでエンコーダ１０の操作部１１を押圧する。この操作部１１の１回目の押圧により、エンコーダ１０からは押圧式時間設定部２０の受信部２１に対して開始信号が出力され、カウンタ部２３は、この開始信号に従い内部クロック発生部２２から供給されたクロックのカウントを開始する。
すなわち、図２は、操作部１１の動作と押圧式時間設定部２０における経過時間算出の関係を示す図である。この図２に示すように、操作部１１について１回目の押圧を行なうと、エンコーダ１０から開始信号が出力され、この開始信号によりカウンタ部２３によってクロック数のカウントが開始される。
【００２６】
このとき、操作部１１は、その軸部外周にバネ１２が設けられているため、このバネ１２の作用により、１回目の押圧を行なっても直ぐ通常状態（フルストローク）に復帰するため、２回目の押圧を行なうことが可能となる。
【００２７】
操作部１１の１回目の押圧を行った音声信号に対応する映像信号を確認した時点で、オペレータが操作部１１について２回目の押圧を行なうと、エンコーダ１０から終了信号が出力され、カウンタ２３による内部クロックのカウントが終了する。すると、前記時間経過検出部２０内の経過時間算出部２４は、前記カウンタ部２３によりカウントされた開始から終了までのカウントクロック数とクロックの周波数とから操作部１１の１回目から２回目にいたる押圧操作の経過時間を算出し、これを遅延時間情報として加算部４０を介して時間遅延処理部４０に出力される。
【００２８】
このようにして、スピーカなどから出力された音声信号の始音をオペレータが聴覚により聞き取った時点で操作部１１の１回目押圧を行ない、オペレータがその音声信号に対応する映像信号を視覚により認識した時点で操作部１１の２回目押圧を行なうことにより、１回目の押圧及び２回目の押圧がなされるまでの時間間隔が押圧式時間設定部２０において経過時間として算出され、ここで算出された経過時間が時間遅延処理部４０に出力される。
【００２９】
一方、前記のようなオペレータによる操作部１１の押圧動作で遅延時間を入力した後に、さらに入力された遅延時間について数ミリ秒単位の微調整を行う場合は、前記操作部１１はその軸部を中心として回動自在に構成されているので、この操作部１１を回動させ、その回動量に応じた遅延時間を入力することで、押圧動作で設定した遅延時間に対して微調整を行う。
【００３０】
すなわち、操作部１１を回動させると、その正逆いずれかの回動方向並びに回動量が回動式時間設定部３０のステップ数検出部３１に送られ、このステップ数検出部３１において検出された正または負のステップ数と回動量１ステップあたりに予め割り当てられている遅延時間とに基づいて、前記遅延時間算出部３２が遅延時間を算出し、算出された遅延時間が時間遅延処理部４０に出力される。時間遅延処理部４０では、前記押圧式時間設定部２０のよって設定された遅延時間に対して、この回動式時間設定部３０によって設定された遅延時間が加算あるいは減算され、それによって遅延時間の微調整がなされる。
【００３１】
その結果、時間遅延処理部４０では、押圧式時間設定部２０及び回動式時間設定部３０から出力されてきた双方の遅延時間情報を、実際の入力音声に対しに遅延時間として付加した上で音声の出力を行なう。
【００３２】
［３．実施形態の効果］
本実施形態によれば、音声信号と映像信号のずれのタイミングに合わせてオペレータが操作部１１を押圧するという簡単な作業で遅延時間を入力することが可能になるので、従来の数値入力や操作部の回動速度を変化させて入力を行う技術に比較して、簡単かつ迅速に遅延時間を入力することが可能である。しかも、押圧動作により入力は、１回目と２回目の押圧操作の間に長い時間間隔を置くことが可能であるから、遅延時間が長い場合であっても操作性が変わることがなく、数秒単位の長い遅延時間についても２回の押圧操作のみで対応できる利点がある。
【００３３】
さらに、本実施形態では、数ミリ秒単位の短い遅延時間については操作部１１を回動させることで微調整を可能としたので、長い遅延時間については押圧動作で、微調整については回動操作で入力を行うことにより、簡単な操作で、より正確な遅延時間を入力することが可能となる。
【００３４】
さらに、操作部１１の２回にわたる押圧作業や回動による微調整を、同じ操作部１１であるつまみによって行うことにより、カウンタ部２３に開始及び終了の指示を与える操作部１１が一つの場所にまとめられ、操作部１１の取り違えによる押し間違いなどの操作ミスを防ぐことができる。
【００３５】
［４．他の実施形態］
なお、本発明は前記のような実施形態に限定されるものではなく、次のような他の実施形態も包含する。
（１）操作部１１として、前記のような２回にわたる押圧動作によって開始信号と終了信号を出力するものの代わりに、操作部の押圧により開始信号を出力し、そのまま押圧動作を継続した後、押圧を解除することで終了信号を出力するものを使用しても良い。
（２）操作部１１として、前記のように回動式のつまみそのものを出没自在とする代わりに、回動式のつまみの近傍に、押圧式、スライド式あるいはロッカー式のスイッチを設け、このスイッチによって開始信号と終了信号を出力するものを使用しても良い。
【図面の簡単な説明】
【００３６】
【図１】本発明の一実施形態における遅延時間入力装置の全体構成を示すブロック図。
【図２】図１の実施形態の遅延時間入力装置における操作部の動作と押圧式時間設定部における経過時間算出処理との関係を示す図。
【符号の説明】
【００３７】
１０…エンコーダ
１１…操作部
１２…バネ
２０…押圧式時間設定部
２１…受信部
２２…クロック発生部
２３…カウンタ部
２４…経過時間算出部
３０…回動式時間設定部
３１…ステップ数検出部
３２…遅延時間算出部
４０…時間遅延処理部
【図１】
0004799106.tif 000002
【図２】
0004799106.tif 000003